(57)【要約】【課題】複数の層を有する吸収体の吸収効率を向上させるための吸収性物品を提供する。【解決手段】液透過性を有するトップシート１４と、液不透過性を有するバックシート１２と、前記トップシート１４と前記バックシート１２との間に配される吸収体１３と、を含む吸収性物品１０であって、前記吸収体１３は、ＳＡＰで構成されたＳＡＰ層１７ｂであって、複数のＳＡＰ領域を有するように主面において区画されている、ＳＡＰ層１７ｂと、前記ＳＡＰ層１７ｂを上下から挟むように積層される上層吸収性コア１７ａおよび下層吸収性コア１７ｃと、前記複数のＳＡＰ領域を仕切るように配されるセカンドシート１６と、を含み、前記セカンドシート１６は、前記ＳＡＰ層１７ｂより肌非当接側に配されている、前記吸収性物品１０を構成する下層シート部に接着されている。【選択図】図４
2019141308.tif 000002
【特許請求の範囲】
【請求項１】
液透過性を有するトップシートと、液不透過性を有するバックシートと、前記トップシートと前記バックシートとの間に配される吸収体と、を含む吸収性物品であって、
前記吸収体は、
ＳＡＰで構成されたＳＡＰ層であって、複数のＳＡＰ領域を有するように主面において区画されている、ＳＡＰ層と、
前記ＳＡＰ層を上下から挟むように積層される上層吸収性コアおよび下層吸収性コアと、
前記複数のＳＡＰ領域を仕切るように配されるセカンドシートと、を含み、
前記セカンドシートは、前記ＳＡＰ層より肌非当接側に配されている、前記吸収性物品を構成する下層シート部に接着されていることを特徴とする吸収性物品。
【請求項２】
前記下層吸収性コアは、複数の下層吸収性コア領域を有するように主面において区画されており、
前記複数のＳＡＰ領域の間隙と、前記複数の下層吸収性コア領域の間隙と、は連続しており、
前記セカンドシートは、前記連続した２つの間隙に連続して配されていることを特徴とする請求項１に記載の吸収性物品。
【請求項３】
前記セカンドシートは、その両側縁部が前記下層吸収性コアまたは前記ＳＡＰ層の少なくとも一部を覆うように折り返されて構成されており、その折り返し部分は、前記下層シート部と接着されていることを特徴とする請求項１または請求項２に記載の吸収性物品。
【請求項４】
前記上層吸収性コアは、複数の上層吸収性コア領域を有するように主面において区画されており、
前記複数のＳＡＰ領域の間隙と、前記複数の上層吸収性コア領域の間隙と、は連続していることを特徴とする請求項２に記載の吸収性物品。
【請求項５】
前記吸収体は、前記上層吸収性コア、前記セカンドシート、前記ＳＡＰ層、および前記下層吸収性コアの４層で構成されたものを挟む上側シートおよび下側シートをさらに備え、
前記セカンドシートの肌当接面側は、前記複数の上層吸収性コア領域の間隙、前記複数のＳＡＰ領域の間隙、および前記複数の下層吸収性コア領域の間隙、が連続する間隙において、前記上側シートの肌非当接面側と接着されていることを特徴とする請求項４に記載の吸収性物品。
【請求項６】
前記複数の前記下層吸収性コア領域を仕切るように配されているサードシートをさらに備えることを特徴とする請求項２に記載の吸収性物品。
【請求項７】
前記下層シート部は、前記バックシートであることを特徴とする請求項１から請求項６のいずれか一項に記載の吸収性物品。
【発明の詳細な説明】
【技術分野】
【０００１】
本発明は、液透過性のトップシートと、液不透過性のバックシートと、これらの間に配置される吸収体とを有する吸収性物品に関する。
【背景技術】
【０００２】
従来、排出された体液（以下、単に「体液」とも言う）を吸収体に誘導して吸収させた尿パッドや使い捨ておむつ等の吸収性物品が広く知られている。吸収体は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなる吸収性コアを、ティシュや不織布等の被覆部材によって挟んだものである。
【０００３】
成人の排出する体液の量は、乳幼児と比較して多く、その多い量の体液を吸収させるために、複数の層で構成された吸収性コアが用いられる場合がある。
【０００４】
この構成の場合、トップシートに排出された体液は、上層側（肌当接面側）の吸収性コアに一部吸収され、吸収し切れなかった体液は、上層側の吸収性コアを透過して下層側（肌非当接面側）の吸収性コアに到達することになるが、下層側の吸収性コアにおいて体液が接触する範囲が狭く、吸収が偏り、吸収効率がよくない場合がある。
【０００５】
そこで、吸収性コアのトップシート側に孔部を設け、吸収性コアの内部に拡散シートを配置することで、当該孔部を通って吸収性コア内部に到達した体液を拡散させることによって、下層側の吸収性コアに体液を広く接触させ、吸収効率の向上を図った吸収性物品が、例えば、特許文献１に開示されている。
【０００６】
また、複数の層の吸収性コアの間に拡散シートを配置することで、上層側の吸収性コアを透過した体液を、拡散シートによって拡散させることによって、下層側の吸収性コアに体液を広く接触させ、複数の層を有する吸収体の吸収効率の向上を図った吸収性物品が、例えば、特許文献２に開示されている。
【先行技術文献】
【特許文献】
【０００７】
【特許文献１】特開２００８−２８９６４０号公報
【特許文献２】特開２０１４−０６８８１３号公報
【発明の概要】
【発明が解決しようとする課題】
【０００８】
ところで、吸収性コアのＳＡＰが体液を吸収したときには、ゼリー状になったＳＡＰが一所に集まり塊となって、未だ吸収していないＳＡＰを包み込み、吸収性が損なわれる可能性がある。また、体液を吸いゼリー状になったＳＡＰは、体液を透過することを妨げるため、複数の層を有する吸収体の上層側の吸収性コアにおいてこのような現象が生じた場合、トップシート側に排出された体液を、下層側の吸収性コアに導くことが困難になり、吸収効率が低下するおそれがある。
【０００９】
したがって、特許文献１および特許文献２に記載された吸収性物品のように、吸収性コアの内部に拡散シートを単に設けるだけでなく、上記の観点から、拡散シートの形状、配置を決定することが要求される。
【００１０】
本発明の目的は、複数の層を有する吸収体の吸収効率を向上させるための吸収性物品を提供することにある。
【課題を解決するための手段】
【００１１】
本発明による吸収性物品は、液透過性を有するトップシートと、液不透過性を有するバックシートと、前記トップシートと前記バックシートとの間に配される吸収体と、を含む吸収性物品であって、前記吸収体は、ＳＡＰで構成されたＳＡＰ層であって、複数のＳＡＰ領域を有するように主面において区画されている、ＳＡＰ層と、前記ＳＡＰ層を上下から挟むように積層される上層吸収性コアおよび下層吸収性コアと、前記複数のＳＡＰ領域を仕切るように配されるセカンドシートと、を含み、前記セカンドシートは、前記ＳＡＰ層より肌非当接側に配されている、前記吸収性物品を構成する下層シート部に接着されていることを特徴とする。
【発明の効果】
【００１２】
本発明によれば、吸収体の内部に位置するセカンドシートに到達した体液を、ＳＡＰ層や下層吸収性コアに導いて吸収させることが可能となる。また、セカンドシートがＳＡＰ層を仕切るように配置されるので、体液を吸収してゼリー状となった複数のＳＡＰ領域が互いにくっついて塊になることが抑制され、体液を吸収したＳＡＰの塊が未だ吸収していないＳＡＰを包み込むといった現象を生じにくくさせることが可能となる。よって、複数の層を有する吸収体の吸収効率を向上させることが可能となる。
【図面の簡単な説明】
【００１３】
【図１】本発明の第１実施形態に係る尿パッドの一例の斜視図である。
【図２】図１に示した尿パッドの分解斜視図である。
【図３】第１実施形態に係る、伸張状態の尿パッドをトップシート側から見た平面図である。
【図４】図３におけるＩＶ−ＩＶ方向断面図である。
【図５】本発明の第２実施形態に係る尿パッドの断面図であり、図３におけるＩＶ−ＩＶ方向断面図である。
【図６】本発明の第３実施形態に係る尿パッドの断面図であり、図３におけるＩＶ−ＩＶ方向断面図である。
【図７】本発明の第４実施形態に係る尿パッドの断面図であり、図３におけるＩＶ−ＩＶ方向断面図である。
【図８】本発明の第５実施形態に係る尿パッドの断面図であり、図３におけるＩＶ−ＩＶ方向断面図である。
【発明を実施するための形態】
【００１４】
本発明による吸収性物品の実施形態について、図１から図８を参照しながら詳細に説明する。ただし、本発明は本実施形態の態様に限定されるものではない。
【００１５】
先ず、本発明を尿パッドに応用した第１実施形態について以下に説明する。
【００１６】
＜第１実施形態＞  
＜構成＞  
図１に本発明の第１実施形態に係る尿パッドの一例の斜視図を示す。本実施形態に係る吸収性物品１０は、尿パッド（吸収パッド）に関する。尿パッド１０は、下着や、尿パッド１０の保持用に作られたホルダーパンツと呼ばれる布製のパンツ型外装体等に、取り付けられることができ、使い捨ておむつの内面側に重ねて使用することも可能である。尿パッド１０は、前身頃領域１０Ｆと、後身頃領域１０Ｒと、これら前身頃領域１０Ｆおよび後身頃領域１０Ｒをつなぐ股下領域１０Ｃとを有する。
【００１７】
着用時に前身頃領域１０Ｆは、着用者の腹側に位置し、後身頃領域１０Ｒは着用者の背側に位置する。そして、着用時に股下領域１０Ｃは、着用者の股下を覆うこととなる。
【００１８】
図２は、図１に示す尿パッド１０の模式的な分解斜視図であり、図３は、第１実施形態に係る、伸張状態の尿パッド１０をトップシート１４側から見た平面図であり、図４は、図３におけるＩＶ−ＩＶ方向断面図である。尚、図３の尿パッド１０については、説明の便宜上、部分的に破断した状態を示しており、図４ではカバーシート１１の記載を省略している（後述する図５から図８も同様）。
【００１９】
図２に示すように、本実施形態における尿パッド１０は、外側（肌非当接側）から順に、良好な手触りを得るために薄い不織布にて形成されるカバーシート１１と、液不透過性を有するバックシート（裏面シート）１２と、吸収体（後述する６層の積層体）１３と、液透過性を有するトップシート（表面シート）１４と、一対のサイドシート１５と、を重ねた積層構造を有しているものである。
【００２０】
トップシート１４は、矩形を呈しており、液透過性を有する不織布などで構成される。バックシート１２は、カバーシート１１に接合され、吸収体１３は、このバックシート１２とトップシート１４との間に配置され、この吸収体１３を介してトップシート１４がバックシート１２に接合される。カバーシート１１およびバックシート１２の股下領域１０Ｃの左右両側には、図２に示すように、一対の切欠き部１１Ｎおよび１２Ｎがそれぞれ形成されている。
【００２１】
トップシート１４の下に位置する本実施形態の吸収体１３は、肌当接側から順に、上層吸収性コア１７ａ、セカンドシート（拡散シート）１６、ＳＡＰ層１７ｂ、および下層吸収性コア１７ｃの４層で構成されたものを、上側シート１８ａおよび下側シート１８ｂの２層で構成されたシート部１８によって挟んだものである。吸収性コア１７は、上層吸収性コア１７ａ、ＳＡＰ層１７ｂ、および下層吸収性コア１７ｃを含んで構成されている。
【００２２】
上層吸収性コア１７ａは、パルプで構成されたパルプ層である。ＳＡＰ層１７ｂは、ＳＡＰで構成されたものであり、ＳＡＰ層１７ｂは、複数のＳＡＰ領域を有するように主面（下層吸収性コアの肌面側）において区画されている。ここで、主面とは、紙やこれに類する部材の（厚み側の細くて狭い面ではない）広い面に相当する部分を指すものとして参照される。この主面は、本実施形態では、肌当接側の面を表すものであるが、本発明の効果を奏する限り、肌当接側、肌非当接側のどちらでもよい。本実施形態では、ＳＡＰ層１７ｂは、図３および図４に示すように、３つのＳＡＰ領域１７ｂ１、１７ｂ２、１７ｂ３を有する。下層吸収性コア１７ｃは、主にパルプとＳＡＰとからなる混合層である。図２および図３に示すように、上層吸収性コア１７ａは矩形を呈しており、ＳＡＰ層１７ｂは帯型を呈したものを３本用いて構成され、および下層吸収性コア１７ｃはバックシート１２の形状のようにひょうたん型を呈している。
【００２３】
セカンドシート１６は、親水性シート（例えばティッシュ）や不織布等で構成されうる。セカンドシート１６は、複数のＳＡＰ領域を仕切るように配される。本実施形態では、セカンドシート１６は、図４に示すように、複数のＳＡＰ領域１７ｂ１、１７ｂ２、１７ｂ３の間隙に入り込むように折り曲げられた部分を有する。尚、本実施形態では、セカンドシート１６の当該間隙に入り込んだ部分は、図４に示すように、折り曲げられているが、本発明では、折り曲げられなくてもよい。例えば、セカンドシート１６を折り曲げずに、セカンドシート１６に丸みの帯びた部分を形成し、その丸みの帯びた部分を当該間隙に入り込ませた形にしてもよい。また、セカンドシート１６が入り込む上記間隙の側部（つまりＳＡＰ領域の側部）が傾斜している場合、セカンドシート１６を、折り曲げずに当該側部に沿うように配置してもよい。本実施形態では、図４に示すように、セカンドシート１６の上記間隙に入り込むように折り曲げられた部分において、セカンドシート１６の肌当接面側同士が対向する部分には、隙間が形成されているが、本発明では、本発明の効果を奏する限り、この隙間は形成されなくてもよいし、この隙間にＳＡＰ、パルプ等の吸収性材料を設けてもよい（後述の第２実施形態から第５実施形態も同様）。
【００２４】
セカンドシート１６は、ＳＡＰ層１７ｂより肌非当接側に配されている、尿パッド１０を構成する下層シート部に接着部２０を介して接着されている。ここで、下層シート部とは、尿パッド１０を構成するシートのうち、ＳＡＰ層１７ｂより下層側にあるシートをいい、例えば、下層吸収性コア１７ｃ、下側シート１８ｂ、バックシート１２、後述するサードシート２１をいう。本実施形態では、下層シート部は、下層吸収性コア１７ｃである。接着部２０は、ヒートシールで熱融着したり、超音波で溶着したり、接着剤を塗布したりすること等で形成される。接着部２０は、図４に示すように、セカンドシート１６の両側縁部を外側に広がるような形状で下層吸収性コア１７ｃに接着することで形成される。接着部２０により、セカンドシート１６でＳＡＰ層１７ｂを３つの領域に固定することが可能となるので、体液を吸収してゼリー状となった複数のＳＡＰ領域１７ｂ１、１７ｂ２、１７ｂ３が互いにくっついて塊になることが抑制され、体液を吸収したＳＡＰの塊が未だ吸収していないＳＡＰを包み込むといった現象を生じにくくすることが可能となる。本実施形態では、接着部２０の形状や形成面積は、上記効果や、セカンドシート１６から下層吸収性コア１７ｃに体液を有効に導くことを考慮して決定されうる。
【００２５】
吸収性コア１７を上下から挟んでいる本実施形態の上側シート１８ａおよび下側シート１８ｂは、ティシュや不織布等でそれぞれ構成されている。上側シート１８ａおよび下側シート１８ｂは、図２および図３に示すように、矩形をそれぞれ呈している。
【００２６】
なお、本発明では、吸収性コア１７は、本実施形態のように３層ではなく、３層より多いものであってもよい。また、上層吸収性コア１７ａ、ＳＡＰ層１７ｂ、および下層吸収性コア１７ｃの構成要素は、本実施形態に限られず、例えば、上層吸収性コア１７ａをパルプとＳＡＰの混合層としてもよいし、下層吸収性コア１７ｃをパルプのみで構成してもよい。下層吸収性コア１７ｃがパルプ層であって、セカンドシート１６がこの下層吸収性コア１７ｃに接着される場合、下層吸収性コア１７ｃはエアレイド法で作成するのが好ましい。この構成により、丈夫な下層吸収性コア１７ｃにすることが可能となる。さらに、上層吸収性コア１７ａ、ＳＡＰ層１７ｂ、および下層吸収性コア１７ｃの輪郭形状は、本実施形態のような形状以外に、楕円形や円形または正方形など、様々な形状を採用することが可能である。また、上層吸収性コア１７ａ、ＳＡＰ層１７ｂ、および下層吸収性コア１７ｃの輪郭形状は、図２に示すように、吸収体１３の長手方向に平行に延在するような形状だけでなく、本発明では、吸収体１３の幅方向に平行に延在するようなものや、吸収体１３の長手方向に対して斜めに延在するようなものも含まれる。ＳＡＰ層１７ｂを構成する領域の数も「３」に限られない。上側シート１８ａおよび下側シート１８ｂの形状についても同様に様々な形状を採用することができる。また、本発明では、シート部１８は、本実施形態のように吸収性コア１７を上下から挟む２層の態様のほか、単層または２層より多い態様や、吸収性コア１７を包む（いわゆるコアラップのような）態様なども許容されるものである。本実施形態に係る尿パッド１０では、シート部１８で挟まれた吸収体１３を用いているが、本発明に係る吸収性物品では、シート部１８で挟まれていない吸収性コア１７を用いてもよい。
【００２７】
本実施形態におけるトップシート１４の幅方向の左右両側縁部には、立体ギャザーを形成する疎水性の一対のサイドシート１５が備えられている。一対のサイドシート１５は、着用時に吸収体１３の左右両側で起立し、排出された体液の横漏れを防止するための部材である。一対のサイドシート１５の外側端縁部には、カバーシート１１およびバックシート１２の切欠き部１１Ｎおよび１２Ｎと同様の形状に切欠き部１５Ｎが形成されている。一対のサイドシート１５のそれぞれには、その内側端縁部を吸収体１３側に折り返して把持させる形で立体ギャザー伸縮材としての糸ゴム１９が伸張状態で配置される。一対のサイドシート１５は、糸ゴム１９が収縮した際に、着用者の肌当接方向に向かって立ち上がる。立体ギャザーは従来の尿パッドに用いられている公知の構成を採用することができる。例えば、撥水性シートの層間に伸張状態の立体ギャザー伸縮材を挟み込んで固定することにより、形成することができる。本実施形態では、一対のサイドシート１５は、図４に示すように、トップシート１４の幅方向の左右両側縁部をシールするように、トップシート１４の左右両側縁部にそれぞれ接着されている。
【００２８】
従来、複数の層で構成された吸収性コアが用いられる場合に、下層側の吸収性コアに体液を効率よく吸収させるため、吸収性コアの内部や複数の層の吸収性コアの間に拡散シートを配する態様が、例えば、特許文献１や特許文献２に開示されている。
【００２９】
ところで、吸収体のＳＡＰが体液を吸収したときには、ゼリー状になったＳＡＰが一所に集まり塊となって、未だ吸収していないＳＡＰを包み込み、吸収性が損なわれる可能性がある。また、体液を吸いゼリー状になったＳＡＰは、体液を透過することを妨げるため、複数の層を有する吸収体の上層側の吸収性コアにおいてこのような現象が生じた場合、トップシート側に排出された体液を、下層側の吸収性コアに導くことが困難になり、吸収効率が低下するおそれがある。したがって、特許文献１および特許文献２に記載された吸収性物品のように、吸収性コアの内部に拡散シートを単に設けるだけでなく、上記の観点から、拡散シートの形状、配置を決定することが要求される。
【００３０】
本実施形態によれば、吸収体１３の内部に位置するセカンドシート１６に到達した体液を、ＳＡＰ層１７ｂや下層吸収性コア１７ｃに導いて吸収させることが可能となる。また、セカンドシート１６がＳＡＰ層１７ｂを仕切るように配置されるので、体液を吸収してゼリー状となった複数のＳＡＰ領域１７ｂ１、１７ｂ２、１７ｂ３が互いにくっついて塊になることが抑制され、体液を吸収したＳＡＰの塊が未だ吸収していないＳＡＰを包み込むといった現象を生じにくくさせることが可能となる。よって、複数の層を有する吸収体１３の吸収効率を向上させることが可能となる。
【００３１】
＜第２実施形態＞  
本発明の第２実施形態では、第１実施形態とは異なり、セカンドシート１６が、区画された下層吸収性コア１７ｃの各領域の間隙にも配される。この構成により、第１実施形態よりも、下層吸収性コア１７ｃに体液を導きやすくなり、効率よく吸収させることが可能となる。
【００３２】
図５は、本実施形態に係る尿パッドの断面図であり、図３におけるＩＶ−ＩＶ方向断面図である。本実施形態に係る吸収性物品を構成する各要素のうち、同様の機能を有するものについては、第１実施形態と同一の符号を付してその説明を省略する。
【００３３】
本実施形態では、下層吸収性コア１７ｃは、複数の下層吸収性コア領域を有するように主面において区画されている。下層吸収性コア１７ｃは、図５に示すように、３つの下層吸収性コア領域１７ｃ１、１７ｃ２、１７ｃ３を有する。
【００３４】
本実施形態では、３つのＳＡＰ領域１７ｂ１、１７ｂ２、１７ｂ３の間隙と、３つの下層吸収性コア領域１７ｃ１、１７ｃ２、１７ｃ３の間隙と、は吸収体１３の厚み方向でそれぞれ連続しており、セカンドシート１６は、当該連続した２つの間隙に連続して配されている。セカンドシート１６は、当該それぞれ連続した間隙に入り込むように折り曲げられた部分を有する。セカンドシート１６の当該間隙に入り込んだ部分は、第１実施形態にて説明したように、折り曲げられる態様のほか、折り曲げられない様々な態様が採用可能である。
【００３５】
接着部２０は、図５に示すように、セカンドシート１６の両側縁部を外側に広がるような形状で下層シート部に接着することで形成される。本実施形態では、下層シート部は、下側シート１８ｂである。ここで例えば、吸収体１３が下側シート１８ｂを含んでいない形態である場合、セカンドシート１６は、バックシート１２と接着することになる。
【００３６】
セカンドシート１６と下側シート１８ｂと接着する場合、下側シート１８ｂは、ティッシュや不織布で構成されていることが好ましく、ティッシュより丈夫であることから不織布で構成されていることがより好ましい。セカンドシート１６と下側シート１８ｂとの接着部２０は、その接着部分においてバックシート１２と接着していることが好ましい。
【００３７】
本実施形態によれば、第１実施形態と同様に、体液をＳＡＰ層１７ｂや下層吸収性コア１７ｃに導いて吸収させることが可能となる。また、複数のＳＡＰ領域１７ｂ１、１７ｂ２、１７ｂ３が互いにくっついて未だ吸収していないＳＡＰを包み込むといった現象を生じにくくさせることが可能となる。よって、吸収体１３の吸収効率を向上させることが可能となる。さらに、セカンドシート１６が、複数のＳＡＰ領域１７ｂ１、１７ｂ２、１７ｂ３の間隙と、複数の下層吸収性コア領域１７ｃ１、１７ｃ２、１７ｃ３の間隙との連続した間隙に入り込むように構成されているため、第１実施形態よりも、下層吸収性コア１７ｃに体液を導きやすくなり、３層の吸収性コアを使って効率よく吸収させることが可能となる。また、セカンドシート１６を浸透した体液が下側シート１８ｂに移動した場合には、下側シート１８ｂにおいて体液を拡散させることが可能となり、下側シート１８ｂを介して下層吸収性コア１７ｃに体液を導き吸収させやすくすることが可能となる。
【００３８】
＜第３実施形態＞  
本発明の第３実施形態では、セカンドシート１６の両側縁部が外側に広がるような形状で下側シート１８ｂに接着されている第２実施形態とは異なり、セカンドシート１６の両側縁部が下層吸収性コア１７ｃの一部を覆うように折り返され、その折り返し部分が、下層シート部と接着されている。この構成により、第２実施形態と同様に、ＳＡＰ層１７ｂや下層吸収性コア１７ｃに体液を導きやすくなり、効率よく吸収させることが可能となる。
【００３９】
図６は、本実施形態に係る尿パッドの断面図であり、図３におけるＩＶ−ＩＶ方向断面図である。本実施形態に係る吸収性物品を構成する各要素のうち、同様の機能を有するものについては、第２実施形態と同一の符号を付してその説明を省略する。
【００４０】
本実施形態では、セカンドシート１６は、図６に示すように、その両側縁部が下層吸収性コア１７ｃの一部を覆うように折り返されて構成されており、その折り返し部分は、下側シート１８ｂと接着されている。図６に示すように、４つの接着部２０のうち左右両端の２つの接着部２０は、当該折り返し部分が、下側シート１８ｂに接着されることで形成され、中央の２つの接着部２０は、第２実施形態と同様に、セカンドシート１６の両側縁部を外側に広がるような形状で下側シート１８ｂに接着することで形成される。当該折り返し部分は、第２実施形態の製造過程で、外側に延出しているセカンドシート１６の両側縁部を、下層吸収性コア１７ｃの内側に入れることで、形成してもよい。本発明ではこれに限られず、セカンドシート１６の両側縁部がＳＡＰ層１７ｂの一部を覆うように折り返されて構成されてもよい。また、セカンドシート１６の両側縁部がＳＡＰ層１７ｂまたは下層吸収性コア１７ｃの一部だけでなく全部を覆うように折り返されて構成されてもよく、吸収体をコアラップで包み込む公知の態様のように、セカンドシート１６でＳＡＰ層１７ｂや下層吸収性コア１７ｃを包んでもよい。
【００４１】
本実施形態によれば、第２実施形態と同様に、吸収体１３の吸収効率を向上させることが可能となる。また、第１実施形態よりも、下層吸収性コア１７ｃに体液を導きやすくなり、３層の吸収性コアを使って効率よく吸収させることが可能となる。さらに、下側シート１８ｂを介して下層吸収性コア１７ｃに体液を導き吸収させやすくすることが可能となる。
【００４２】
＜第４実施形態＞  
本発明の第４実施形態では、第２実施形態とは異なり、上層吸収性コア１７ａを複数の領域に区画する。この構成により、第２実施形態よりも、ＳＡＰ層１７ｂや下層吸収性コア１７ｃに体液を導きやすくなり、３層の吸収性コア全体を使って吸収させることが可能となる。
【００４３】
図７は、本実施形態に係る尿パッドの断面図であり、図３におけるＩＶ−ＩＶ方向断面図である。本実施形態に係る吸収性物品を構成する各要素のうち、同様の機能を有するものについては、第２実施形態と同一の符号を付してその説明を省略する。
【００４４】
本実施形態では、上層吸収性コア１７ａは、複数の上層吸収性コア領域を有するように主面において区画されている。上層吸収性コア１７ａは、３つの上層吸収性コア領域１７ａ１、１７ａ２、１７ａ３を有する。本実施形態では、第２実施形態と同様に、３つのＳＡＰ領域１７ｂ１、１７ｂ２、１７ｂ３の間隙と、３つの下層吸収性コア領域１７ｃ１、１７ｃ２、１７ｃ３の間隙と、は吸収体１３の厚み方向でそれぞれ連続しており、加えて、３つのＳＡＰ領域１７ｂ１、１７ｂ２、１７ｂ３の間隙と、３つの上層吸収性コア領域１７ａ１、１７ａ２、１７ａ３の間隙と、は吸収体１３の厚み方向でそれぞれ連続している。
【００４５】
接着部２０は、第２実施形態と同様に、セカンドシート１６の両側縁部を外側に広がるような形状で下層シート部に接着することで形成される。本実施形態では、下層シート部は、下側シート１８ｂである。
【００４６】
本実施形態によれば、第２実施形態と同様に、吸収体１３の吸収効率を向上させることが可能となる。また、第１実施形態よりも、下層吸収性コア１７ｃに体液を導きやすくなり、３層の吸収性コアを使って効率よく吸収させることが可能となる。さらに、下側シート１８ｂを介して下層吸収性コア１７ｃに体液を導き吸収させやすくすることが可能となる。そして、排出された体液が、上層吸収性コア領域１７ａ１、１７ａ２、１７ａ３の間隙から、下層側のＳＡＰ層１７ｂや下層吸収性コア１７ｃへ向けて流れやすくなるので、第２実施形態よりも、３層の吸収性コアを使って効率よく吸収させることが可能となる。
【００４７】
本実施形態の変形例では、セカンドシート１６の肌当接面側は、上層吸収性コア領域１７ａ１、１７ａ２、１７ａ３の間隙、ＳＡＰ領域１７ｂ１、１７ｂ２、１７ｂ３の間隙、および下層吸収性コア領域１７ｃ１、１７ｃ２、１７ｃ３の間隙、が連続する３つの間隙において、上側シート１８ａの肌非当接面側と接着される。この構成により、上側シート１８ａに浸透してきた体液を、セカンドシート１６を介して、上層吸収性コア１７ａ、ＳＡＰ層１７ｂ、および下層吸収性コア１７ｃに迅速に導くことが可能となり、効率のよい吸収を実現することが可能となる。なお、セカンドシート１６の肌当接面側を、上層吸収性コア領域１７ａ１、１７ａ２、１７ａ３の間隙、およびＳＡＰ領域１７ｂ１、１７ｂ２、１７ｂ３の間隙、が連続する２つの間隙において、上側シート１８ａの肌非当接面側と接着させてもよい。
【００４８】
また、本発明では、セカンドシート１６の肌当接面側は、トップシート１４の肌非当接面側と接着されてもよい。この構成により、上記と同様に、効率のよい吸収を実現することが可能となる。
【００４９】
＜第５実施形態＞  
本発明の第５実施形態では、第２実施形態とは異なり、複数の下層吸収性コア領域を仕切るように配されているサードシート２１をさらに備える。この構成により、ＳＡＰ層１７ｂおよび下層吸収性コア１７ｃに拡散シートを配置することになり、体液を吸収するための流路がそれぞれ確保されるので、ＳＡＰ層１７ｂおよび下層吸収性コア１７ｃで効率よく吸収することが可能となる。
【００５０】
図８は、本実施形態に係る尿パッドの断面図であり、図３におけるＩＶ−ＩＶ方向断面図である。本実施形態に係る吸収性物品を構成する各要素のうち、同様の機能を有するものについては、第２実施形態と同一の符号を付してその説明を省略する。
【００５１】
複数の下層吸収性コア領域を仕切るように配されているサードシート２１をさらに備える。サードシート２１は、セカンドシート１６と同様に、拡散シートであり、親水性シート（例えばティッシュ）や不織布等で構成されうる。セカンドシート１６は、図８に示すように、その両端縁部においてバックシート１２に２つの接着部２０を介して接着されており、その中央部においてサードシート２１に２つの接着部２０’を介して接着されている。また、サードシート２１は、図８に示すように、下側シート１８ｂに４つの接着部２０’’を介して接着されている。本実施形態では、下層シート部は、バックシート１２およびサードシート２１である。
【００５２】
本実施形態によれば、第２実施形態と同様に、吸収体１３の吸収効率を向上させることが可能となる。また、第１実施形態よりも、下層吸収性コア１７ｃに体液を導きやすくなり、３層の吸収性コアを使って効率よく吸収させることが可能となる。さらに、下側シート１８ｂを介して下層吸収性コア１７ｃに体液を導き吸収させやすくすることが可能となる。そして、サードシート２１に到達した体液を、ＳＡＰ層１７ｂや下層吸収性コア１７ｃに導くことが可能となり、第２実施形態よりも、効率よく吸収させることが可能となる。
【００５３】
＜その他＞  
本発明は、上述した各実施形態や、随所に述べた変形例に限られることなく、本発明の技術的思想から逸脱しない範囲で、適宜の変更や変形が可能である。
【００５４】
例えば、上記各実施形態またはその変形例に係る吸収性物品は、上述した構造に限定されるわけではなく、特許請求の範囲に規定された吸収性物品でありさえすれば、どのような構成であってもよい。例えば、展開型やパンツ型の使い捨ておむつなど、成人向けや乳幼児向けの各種吸収性物品であっても本発明を適用可能である。
【００５５】
加えて、上記各実施形態またはその変形例に係る尿パッド１０では、一対の切欠き部１１Ｎおよび１２Ｎが形成されているが、本発明では、尿パッド１０の形状は適宜変更することができ、例えば、これら切欠き部を設けずに、単純な矩形状とすることも可能である。
【符号の説明】
【００５６】
１０  尿パッド
１０Ｆ  前身頃領域
１０Ｒ  後身頃領域
１０Ｃ  股下領域
１１  カバーシート
１１Ｎ、１２Ｎ、１５Ｎ  切欠き部
１２  バックシート
１３  吸収体
１４  トップシート
１５  サイドシート
１６  セカンドシート
１７ａ  上層吸収性コア
１７ｂ  ＳＡＰ層
１７ｃ  下層吸収性コア
１８ａ  上側シート
１８ｂ  下側シート
１９  糸ゴム
２０、２０’、２０’’  接着部
２１  サードシート
【図１】
2019141308.tif 000003
【図２】
2019141308.tif 000004
【図３】
2019141308.tif 000005
【図４】
2019141308.tif 000006
【図５】
2019141308.tif 000007
【図６】
2019141308.tif 000008
【図７】
2019141308.tif 000009
【図８】
2019141308.tif 000010